(57)【要約】【課題】マザーボード等の外部基板に接続・固定する取付作業を容易に行える薄型の電子回路ユニットと、その取付構造を提供すること。【解決手段】電子回路ユニット１は、基板２の一方の主面２ａにコネクタ３や電子素子４等を実装しており、主面２ａ側で箱状のシールドカバー７が電子素子４を覆っている。シールドカバー７の天板部７ａには、主面２ａから離隔する向きに突出する突起部８が一体形成されている。マザーボード１０上に固定された相手方コネクタ１１にコネクタ３を直接カップリングすることによって、電子回路ユニット１はマザーボード１０と電気的に接続されるが、その際、突起部８がマザーボード１０に当接して基板２が傾かないようにしてあると共に、天板部７ａとマザーボード１０の対向面どうしが両面接着テープ１２等の圧着手段を介して接合されるようにしてある。【選択図】図２
2012079468.tif 000002
【特許請求の範囲】
【請求項１】
基板の片面に実装されたコネクタおよび電子素子と、前記基板に取り付けられて前記電子素子を覆う箱状のシールドカバーとを備えていると共に、前記シールドカバーの天面に前記基板の片面から離隔する向きに突出する突起部が一体形成されており、
外部基板上に固定された相手方コネクタに前記コネクタをカップリングした状態で、前記突起部が前記外部基板に当接するように構成したことを特徴とする電子回路ユニット。
【請求項２】
請求項１の記載において、前記突起部が前記シールドカバーの２箇所に突設されていることを特徴とする電子回路ユニット。
【請求項３】
請求項１または２の記載において、前記シールドカバーの一部に絞り加工を施して前記突起部となしたことを特徴とする電子回路ユニット。
【請求項４】
請求項１または２の記載において、前記シールドカバーの一部を切り起こして前記突起部となしたことを特徴とする電子回路ユニット。
【請求項５】
請求項１〜４のいずれか１項の記載において、前記基板のうち少なくとも前記シールドカバーに覆われていない領域にアンテナ素子が付設されていることを特徴とする電子回路ユニット。
【請求項６】
基板にコネクタおよび電子素子が実装されていると共に、前記電子素子が箱状のシールドカバーに覆われている電子回路ユニットと、前記コネクタにカップリング可能な相手方コネクタが実装された外部基板とを備え、前記電子回路ユニットを前記外部基板上に搭載して前記コネクタと前記相手方コネクタとをカップリングする電子回路ユニットの取付構造において、
前記基板のうち前記外部基板と対向する側の主面に前記コネクタおよび前記電子素子を実装すると共に、前記シールドカバーの天面に前記基板の主面から離隔する向きに突出する突起部を一体形成しておき、前記相手方コネクタと前記コネクタをカップリングした状態で前記突起部を前記外部基板に当接させると共に、前記シールドカバーと前記外部基板の対向面どうしを両者間に介在せしめた圧着手段に圧着させるようにしたことを特徴とする電子回路ユニットの取付構造。
【請求項７】
請求項６の記載において、前記圧着手段が両面接着テープであることを特徴とする電子回路ユニットの取付構造。
【請求項８】
請求項６または７の記載において、前記シールドカバーのうち前記圧着手段に圧着される領域が平面視で前記突起部と前記コネクタとの間に設定されていることを特徴とする電子回路ユニットの取付構造。
【請求項９】
請求項６〜８のいずれか１項の記載において、前記突起部が前記シールドカバーの２箇所に突設されていることを特徴とする電子回路ユニットの取付構造。
【請求項１０】
請求項６〜９のいずれか１項の記載において、前記シールドカバーの一部に絞り加工を施して前記突起部となしたことを特徴とする電子回路ユニットの取付構造。
【請求項１１】
請求項６〜９のいずれか１項の記載において、前記シールドカバーの一部を切り起こして前記突起部となしたことを特徴とする電子回路ユニットの取付構造。
【発明の詳細な説明】
【技術分野】
【０００１】
本発明は、電子素子を覆うシールドカバーを備えた電子回路ユニットに係り、特に、マザーボード等の外部基板に積層状態でコネクタ接続される電子回路ユニットと、かかる電子回路ユニットの外部基板に対する取付構造とに関するものである。
【背景技術】
【０００２】
高周波回路等が設けられた電子回路ユニットにおいては、通常、基板に実装されている電子素子を箱状のシールドカバーで覆って電磁的にシールドするようになっている。かかる電子回路ユニットをマザーボード等の外部基板に搭載して電気的かつ機械的に接続する場合、フレキシブルケーブルを介在させる手法も広く採用されているが、コネクタどうしを直接接続できるようにしてあると取付作業性やスペースファクタが向上する。すなわち、電子回路ユニットの基板に実装されているコネクタと、マザーボード等の外部基板に実装されているコネクタとが、雄コネクタと雌コネクタの関係でカップリングできる所謂ＢｔｏＢ（Board to Board）コネクタであれば、これら２つの基板の各コネクタ部にフレキシブルケーブルの両端を接続させる作業を省略できるだけでなく、フレキシブルケーブルを配置させるためのスペースを確保する必要もなくなる。
【０００３】
図４は電子回路ユニットとマザーボードとがＢｔｏＢコネクタによって接続されている従来例を示す説明図である（例えば、特許文献１参照）。同図において、高周波回路ユニットである電子回路ユニット２０は、片面に複数の電子素子２２が実装された基板２１を備えており、この基板２１の他面には雌コネクタ２３が実装されている。基板２１には電子素子２２を覆う箱状のシールドカバー２４が取り付けられており、シールドカバー２４から延出する脚片２４ａがマザーボード２５に設けられた取付孔２６に挿入されている。マザーボード２５の所定位置には雄コネクタ２７が実装されており、この雄コネクタ２７に雌コネクタ２３を差し込むことによって電子回路ユニット２０はマザーボード２５と電気的に接続される。また、シールドカバー２４の複数の脚片２４ａが対応する取付孔２６に挿入された状態でマザーボード２５の図示せぬランドに半田付けされるため、これら脚片２４ａとコネクタ２３，２７とに支えられて電子回路ユニット２０が安定した姿勢でマザーボード２５上に載置固定できるようになっている。
【０００４】
なお、この種の電子回路ユニットは無線ＬＡＮ用の通信モジュールとして使用されることがあり、その場合、電子回路ユニットの基板にはシールドカバーで覆われない領域にパターンアンテナやチップアンテナ等のアンテナ素子が付設される。
【先行技術文献】
【特許文献】
【０００５】
【特許文献１】特開平１０−１６３６５０号公報
【発明の概要】
【発明が解決しようとする課題】
【０００６】
ところで、前述した従来例においては、電子回路ユニット２０をマザーボード２５に対して接続・固定する取付作業時に、雌コネクタ２３を雄コネクタ２７に差し込むだけでなく、シールドカバー２４の各脚片２４ａをマザーボード２５の対応するランドに半田付けする必要があるため、この半田付け作業が取付作業性を損なう要因となっていた。
【０００７】
また、前述した従来例では、電子回路ユニット２０の基板２１の図示上面（マザーボード２５と対向しない側の主面）に複数の電子素子２２を実装し、これら電子素子２２をシールドカバー２４で覆うようにしている。これは、ＢｔｏＢコネクタの接続（カップリング）時の高さ寸法によって規定される基板２１とマザーボード２５との間隔が狭いため、この狭隘な空間に電子素子２２を配置させてシールドカバーで覆うことが困難であるという理由による。
【０００８】
しかるに近年、電子回路ユニットに用いられる半導体チップ等の電子素子の小型低背化が促進されているため、基板２１の図示下面（マザーボード２５と対向する側の主面）に電子素子を集約してシールドカバーで覆う構成が可能となっている。かかる構成を採用すると電子回路ユニットを大幅に薄型化できて好ましいが、その一方で、シールドカバーを脚片によらずにマザーボードに容易に固定できる固定手段や、ＢｔｏＢコネクタの接続不良の要因となる電子回路ユニットの傾きやぐらつきを防止できる姿勢保持手段等が新たに必要となる。つまり、電子回路ユニットのシールドカバーがマザーボードと対向する側に配置されている構成においては、シールドカバーとマザーボードの対向面どうしの間に若干のクリアランスを生じる可能性が高くなるため、ＢｔｏＢコネクタが接続されているだけだと電子回路ユニットが傾き易く、ＢｔｏＢコネクタを支点とする電子回路ユニットのぐらつきも起こり易くなる。なお、基板にアンテナ素子が付設されている電子回路ユニットの場合、電子回路ユニットのぐらつきによってアンテナ素子と近傍のグランドとの距離が変化してしまうため、アンテナ特性にも悪影響が及んでしまう。
【０００９】
本発明は、このような従来技術の実情に鑑みてなされたもので、その第１の目的は、マザーボード等の外部基板に接続・固定する取付作業を容易に行える薄型の電子回路ユニットを提供することにある。また、本発明の第２の目的は、かかる電子回路ユニットの外部基板に対する取付構造を提供することにある。
【課題を解決するための手段】
【００１０】
上記の第１の目的を達成するために、本発明の電子回路ユニットは、基板の片面に実装されたコネクタおよび電子素子と、前記基板に取り付けられて前記電子素子を覆う箱状のシールドカバーとを備えていると共に、前記シールドカバーの天面に前記基板の片面から離隔する向きに突出する突起部が一体形成されており、外部基板上に固定された相手方コネクタに前記コネクタをカップリングした状態で、前記突起部が前記外部基板に当接するように構成した。
【００１１】
このように構成された電子回路ユニットは、基板の片面（外部基板と対向する側の主面）にコネクタおよび電子素子が実装されており、電子素子を覆うシールドカバーも基板の同じ片面側に配置されているため、基板の他面側に電子素子やシールドカバーが存しない薄型の電子回路ユニットとなすことができる。また、この電子回路ユニットのコネクタは、外部基板上に固定された相手方コネクタにカップリング可能なＢｔｏＢコネクタなので、外部基板との接続作業が容易に行える。また、こうして両コネクタどうしをカップリング（接続）すると、シールドカバーの天面に突設された突起部が外部基板に当接するようにしてあるため、電子回路ユニットは外部基板に近接する向きの移動が規制されることになり、よって電子回路ユニットの基板を外部基板に対して略平行に保持することが容易となる。また、シールドカバーに突起部が突設されていることから、両コネクタをカップリングした状態でシールドカバーと外部基板の対向面どうしの間には必ずクリアランスが生じることになる。それゆえ、このクリアランスに両面接着テープや接着剤を介在させるなどして、シールドカバーと外部基板の対向面どうしを接合する固定作業を容易に行うことができる。
【００１２】
上記の構成において、突起部がシールドカバーの２箇所に突設されていると、これら２つの突起部と１つのコネクタとによって電子回路ユニットを外部基板上で３点支持できるため、外部基板に対する電子回路ユニットの姿勢が安定させ易くなって好ましい。
【００１３】
また、上記の構成において、シールドカバーの一部に絞り加工を施して突起部となせば、シールドカバーに新たな開口を生じることなく突起部を形成できるため、電磁シールド効果を損なう虞がなくなる。ただし、シールドカバーの一部を切り起こして突起部となしても良く、この場合、電磁シールド効果は若干低下するものの突起部に弾性が付与されるため、シールドカバーと外部基板間のクリアランスのばらつきが吸収し易くなる。
【００１４】
また、上記の構成において、基板のうち少なくともシールドカバーに覆われていない領域にアンテナ素子が付設されていると、無線ＬＡＮ用の通信モジュールとして使用可能な電子回路ユニットを傾きやぐらつきを防止した状態で外部基板に接続・固定できることになるため、アンテナ素子と近傍のグランドとの距離がばらつかなくなって常に良好なアンテナ特性を期待できる。
【００１５】
上記の第２の目的を達成するために、本発明は、基板にコネクタおよび電子素子が実装されていると共に、前記電子素子が箱状のシールドカバーに覆われている電子回路ユニットと、前記コネクタにカップリング可能な相手方コネクタが実装された外部基板とを備え、前記電子回路ユニットを前記外部基板上に搭載して前記コネクタと前記相手方コネクタとをカップリングする電子回路ユニットの取付構造において、前記基板のうち前記外部基板と対向する側の主面に前記コネクタおよび前記電子素子を実装すると共に、前記シールドカバーの天面に前記基板の主面から離隔する向きに突出する突起部を一体形成しておき、前記相手方コネクタと前記コネクタをカップリングした状態で前記突起部を前記外部基板に当接させると共に、前記シールドカバーと前記外部基板の対向面どうしを両者間に介在せしめた圧着手段に圧着させるようにした。
【００１６】
このように電子回路ユニットの基板の片面（外部基板と対向する側の主面）にコネクタおよび電子素子を実装すると共に、電子素子を覆うシールドカバーも基板の同じ片面側に配置しておけば、基板の他面側に電子素子やシールドカバーが存しない薄型の電子回路ユニットとなすことができる。また、この電子回路ユニットのコネクタは外部基板上の相手方コネクタにカップリング可能なＢｔｏＢコネクタなので、外部基板との接続作業が容易に行える。また、こうして両コネクタどうしをカップリングすると、シールドカバーの天面に突設された突起部が外部基板に当接するため、電子回路ユニットは外部基板に近接する向きの移動が規制されることになり、よって電子回路ユニットの基板を外部基板に対して略平行に保持することが容易となる。しかも、シールドカバーは外部基板との対向面が圧着手段を介して該外部基板と接合されるため、電子回路ユニットは外部基板から離隔する向きの移動も規制されることになり、よって電子回路ユニットは取付後にぐらつく虞がなくなる。
【００１７】
上記の構成において、圧着手段が両面接着テープであると、シールドカバーと外部基板の対向面どうしを容易に接合させることができるため、電子回路ユニットの取付作業性を一層向上させることができる。ただし、圧着手段として接着剤等を使用することも可能である。
【００１８】
また、上記の構成において、シールドカバーのうち圧着手段に圧着される領域が平面視で突起部とコネクタとの間に設定されていると、電子回路ユニットに衝撃が加わっても突起部やコネクタに過大な応力が作用しにくくなるため、電子回路ユニットの傾きやぐらつきを防止する効果が高まる。
【００１９】
また、上記の構成において、電子回路ユニットの突起部がシールドカバーの２箇所に突設されていると、これら２つの突起部と１つのコネクタとによって電子回路ユニットを外部基板上で３点支持できるため、外部基板に対する電子回路ユニットの姿勢が安定させ易くなって好ましい。
【００２０】
また、上記の構成において、シールドカバーの一部に絞り加工を施して突起部となせば、シールドカバーに新たな開口を生じることなく突起部を形成できるため、電磁シールド効果を損なう虞がなくなる。ただし、シールドカバーの一部を切り起こして突起部となしても良く、この場合、電磁シールド効果は若干低下するものの突起部に弾性が付与されるため、シールドカバーと外部基板間のクリアランスのばらつきが吸収し易くなる。
【発明の効果】
【００２１】
本発明の電子回路ユニットによれば、基板の片面側にコネクタと電子素子およびシールドカバーを配置しているため薄型化が容易であると共に、このコネクタを外部基板上の相手方コネクタに直接カップリングさせることができるため、外部基板との接続作業が容易に行える。また、こうして両コネクタどうしをカップリングすると、シールドカバーの天面に突設された突起部が外部基板に当接するようにしてあるため、この電子回路ユニットの基板を外部基板に対して略平行に保持することが容易となる。また、両コネクタをカップリングした状態でシールドカバーと外部基板の対向面どうしの間には必ずクリアランスが生じるため、このクリアランスに両面接着テープや接着剤を介在させるなどして、シールドカバーと外部基板の対向面どうしを接合する固定作業を容易に行うことができる。すなわち、本発明の電子回路ユニットは、薄型化に好適であるのみならず、マザーボード等の外部基板に容易に接続・固定することができて取付後の傾きやぐらつきも防止し易いため、外部基板に対する取付作業性が良好で接続の信頼性も維持し易い。
【００２２】
本発明の電子回路ユニットの取付構造によれば、薄型化に好適な電子回路ユニットのコネクタを外部基板上の相手方コネクタに直接カップリングさせることができるため、外部基板に対する電子回路ユニットの接続作業が容易に行える。また、こうして両コネクタどうしをカップリングすると、シールドカバーの天面に突設された突起部が外部基板に当接するため、電子回路ユニットの基板を外部基板に対して略平行に保持することが容易となる。しかも、こうして両コネクタをカップリングすると、シールドカバーは外部基板との対向面が圧着手段を介して該外部基板と接合されるため、電子回路ユニットを外部基板に容易に固定することができる。すなわち、本発明の取付構造によれば、薄型の電子回路ユニットをマザーボード等の外部基板に容易に接続・固定することができて、取付後の傾きやぐらつきも防止し易いため、外部基板に対する電子回路ユニットの取付作業性が良好で接続の信頼性も維持し易い。
【図面の簡単な説明】
【００２３】
【図１】本発明の第１実施形態例に係る電子回路ユニットの外観斜視図である。
【図２】図１に示す電子回路ユニットをマザーボードに取り付けた状態を示す側面図である。
【図３】本発明の第２実施形態例に係る電子回路ユニットの外観斜視図である。
【図４】従来例に係る電子回路ユニットをマザーボードに取り付けた状態を示す説明図である。
【発明を実施するための形態】
【００２４】
以下、本発明の実施形態例を図面を参照しながら説明する。まず、図１と図２を参照しながら第１実施形態例について説明すると、これらの図に示す電子回路ユニット１は、無線ＬＡＮ用の通信モジュールとして設計された高周波回路ユニットであり、マザーボード１０上に接続・固定して使用される。
【００２５】
この電子回路ユニット１は、図示せぬ配線パターンが形成された矩形状の基板２と、基板２の一方の主面２ａに実装された雌コネクタ３と電子素子４およびアンテナ用コネクタ６と、アンテナ素子として基板２の主面２ａ，２ｂに形成されたパターンアンテナ５と、基板２に半田付け等で固定されて電子素子４を覆う箱状のシールドカバー７とを備えて概略構成されている。基板２の他方の主面２ｂ側には電子素子４やシールドカバー７やコネクタ等が存しないため、この電子回路ユニット１は大幅に薄型化されている。
【００２６】
図２に示すように、電子回路ユニット１の雌コネクタ３は、マザーボード１０上の雄コネクタ（相手方コネクタ）１１に差し込んでカップリング可能なＢｔｏＢコネクタである。この雌コネクタ３は基板２における長手方向の一端部に配置されており、基板２の長手方向の他端部にはパターンアンテナ５が配置されている。このパターンアンテナ５はシールドカバー７に覆われずマザーボード１０とも重なり合わないため、効率良く電波を放射することができる。なお、アンテナ用コネクタ６は、パターンアンテナ５の特性検査時や外部アンテナ接続時などに用いられる。
【００２７】
シールドカバー７は金属板をプレス加工して折曲形成されたものである。このシールドカバー７は、複数の電子素子４を覆った状態で図示せぬグランドと導通され、これら電子素子４を電磁的にシールドする機能を果たしている。図１において、シールドカバー７の天板部７ａの２箇所には、基板２の主面２ａから離隔する図示上向きに膨出した形状の突起部８が一体形成されている。これら突起部８は絞り加工によって天板部７ａに突設されたものであるため、天板部７ａには突起部８によって生じる開口（孔部）は存在しない。２つの突起部８は、基板２の長手方向に沿うシールドカバー７の中心線を対称軸として略線対称な位置関係にあり、雌コネクタ３から各突起部８までの距離は同等である。また、天板部７ａの表面には雌コネクタ３側の略半分の領域に両面接着テープ１２が貼着されている。この両面接着テープ１２は、平面視で２つの突起部８と雌コネクタ３との間に位置している。
【００２８】
電子回路ユニット１はフェースダウンでマザーボード１０上に取り付けられるため、図２に示すように、シールドカバー７の天板部７ａの表面はマザーボード１０との対向面になる。マザーボード１０上に固定された雄コネクタ１１に電子回路ユニット１の雌コネクタ３を差し込んでカップリングさせると、天板部７ａから突出する各突起部８がマザーボード１０に当接するので、この突起部８の突出高さを予め規定しておくことにより、基板２がマザーボード１０と略平行に配置されるようにしてある。つまり、突起部８は、ＢｔｏＢコネクタでマザーボード１０に接続した電子回路ユニット１の傾きを防止する高さ調整部として機能する。このとき、突起部８の突出高さに相当するクリアランスが天板部７ａとマザーボード１０との間に画成されるが、予め両面接着テープ１２の厚みを該クリアランスと同等に設定しておけば、突起部８の浮きやシールドケース７の傾きを生じることなく、天板部７ａとマザーボード１０を両面接着テープ１２に圧着させることができる。
【００２９】
このように本実施形態例に係る電子回路ユニット１は、基板２の一方の主面２ａ（マザーボード１０との対向面）側に雌コネクタ３や電子素子４やシールドカバー７等を集約して配置させているため、マザーボード１０に対してＢｔｏＢコネクタで容易に接続できる薄型の電子回路ユニットとなっている。また、図２に示すように、電子回路ユニット１をマザーボード１０にコネクタ接続（カップリング）した状態で、シールドカバー７に突設された突起部８がマザーボード１０に当接して電子回路ユニット１の図示下方への移動が規制されるようにしてあるため、この電子回路ユニット１は基板２をマザーボード１０に対して略平行に保持することが容易である。しかも、シールドカバー７の天板部７ａが両面接着テープ１２を介してマザーボード１０と接合されるため、電子回路ユニット１はマザーボード１０から離隔する向きの移動も規制されることになり、よって電子回路ユニット１が取付後にぐらつく虞はない。すなわち、本実施形態例にあっては、薄型の電子回路ユニット１をマザーボード１０に容易に接続・固定することができ、取付後の傾きやぐらつきも防止し易いため、マザーボード１０に対する電子回路ユニット１の取付作業性が良好で接続の信頼性も維持し易い。
【００３０】
特に、本実施形態例の場合、突起部８がシールドカバー７の天板部７ａ２箇所に突設されており、これら２つの突起部８とコネクタ３，１１とによって電子回路ユニット１をマザーボード１０上でバランス良く３点支持することができるため、マザーボード１０に対する電子回路ユニット１の姿勢を安定させ易くなっている。
【００３１】
しかも、本実施形態例の場合、シールドカバー７のうち両面接着テープ１２に圧着される領域が、平面視で突起部８と雌コネクタ３との間に設定されているため、電子回路ユニット１は衝撃が加わっても突起部８や雌コネクタ３に過大な応力が作用しにくく、よって電子回路ユニット１の傾きやぐらつきを防止する効果が高まっている。
【００３２】
また、本実施形態例にあっては、突起部８が絞り加工によってシールドカバー７に一体形成されているため、シールドカバー７に新たな開口を生じることなく突起部８が形成できる。それゆえ、シールドカバー７に突起部８を設けても電磁シールド効果が損なわれることはない。
【００３３】
また、本実施形態例にあっては、電子回路ユニット１を無線ＬＡＮ用の通信モジュールとして使用するために、基板２のうちシールドカバー７に覆われずマザーボード１０とも重なり合わない領域にパターンアンテナ５を付設している。そして、前述したように、電子回路ユニット１は傾きやぐらつきを防止した状態でマザーボード１０に接続・固定できるため、パターンアンテナ５と近傍のグランドとの距離がばらつく可能性も低くなり、常に良好なアンテナ特性が期待できる。なお、基板２に付設するアンテナ素子はパターンアンテナに限らず任意に選択可能であり、例えばチップアンテナを実装しても良い。
【００３４】
次に、図３を参照しながら本発明の第２実施形態例について説明する。ただし、図３において図１と対応する部分には同一符号が付してあるため、重複する説明は省略する。
【００３５】
第２実施形態例に係る電子回路ユニット１では、シールドカバー７の天板部７ａの２箇所に舌片状に切り起こした突起部９が一体形成されており、第１実施形態例の前記突起部８と同様に、これら突起部９をマザーボード（外部基板）に当接させて電子回路ユニット１の傾きを防止する高さ調整部となしている。すなわち、この第２実施形態例は、絞り加工によって形成された膨出形状の前記突起部８の代わりに切り起こし加工によって舌片状の突起部９とした点が、前記第１実施形態例と異なっている。このようにシールドカバー７の天板部７ａに舌片状の突起部９を切り起こすことによっても、その突出高さを適宜寸法に設定しておけば、ＢｔｏＢコネクタでマザーボードに接続された電子回路ユニット１の傾きを容易に防止することができる。
【００３６】
また、この第２実施形態例の場合、突起部９を切り起こすとシールドカバー７に開口が形成されてしまうため、電磁シールド効果は若干低下してしまうが、前記突起部８と異なり舌片状の突起部９に弾性が付与されるため、シールドカバー７の天板部７ａとマザーボード（外部基板）間のクリアランスのばらつきが吸収し易くなる。
【００３７】
なお、上記の各実施形態例では、シールドカバー７の天板部７ａを両面接着テープ１２を用いてマザーボード（外部基板）と圧着させているが、例えば接着剤などの両面接着テープ以外の圧着手段を用いることも可能である。
【００３８】
また、上記の各実施形態例では、電子回路ユニット１に設けた雌コネクタ３をマザーボード上の雄コネクタにカップリングさせるものとして説明しているが、これとは逆に、電子回路ユニットに設けた雄コネクタをマザーボード上の雌コネクタにカップリングさせるようにしても良い。
【００３９】
さらに、上記の各実施形態例では、電子回路ユニット１の基板２にパターンアンテナ５等のアンテナ素子を付設した場合について説明しているが、アンテナ素子が不要な電子回路ユニットであっても、本発明を適用することでマザーボード（外部基板）に対する取付作業性が向上し接続の信頼性も維持し易くなる。
【符号の説明】
【００４０】
１  電子回路ユニット
２  基板
２ａ  主面（片面）
３  雌コネクタ（コネクタ）
４  電子素子
５  パターンアンテナ（アンテナ素子）
７  シールドカバー
７ａ  天板部
８，９  突起部
１０  マザーボード（外部基板）
１１  雄コネクタ（相手方コネクタ）
１２  両面接着テープ
【図１】
2012079468.tif 000003
【図２】
2012079468.tif 000004
【図３】
2012079468.tif 000005
【図４】
2012079468.tif 000006